(57)【要約】【課題】ＭＮＰなどにより電話番号の呼接続先が変更された場合でも呼接続先を決定する。【解決手段】  ＥＮＵＭ要否判断部１０３は、ＡＳ２００から送信されるＳＩＰＩＮＶＩＴＥ信号に問合せが解決済みであることを示すフラグが付与されていることを判断する。ＳＩＰ信号通信部１０１は、ＥＮＵＭサーバ８００に対する問合せ結果に基づいた処理を行う際に、問合せが解決済みであることを示すフラグが付与されている場合には、ＥＮＵＭ問合せ部１０４は問合せを行うことなく、ＳＩＰ信号通信部１０１は、ＳＩＰＩＮＶＩＴＥ信号に含まれている呼接続先に対して接続処理を行う。【選択図】図３
2019012885.tif 000002
【特許請求の範囲】
【請求項１】
呼接続のための、電話番号を含んだ通信制御信号を、発信端末に対して付加サービスを提供するためのアプリケーションサーバを介して受信する受信部と、
前記受信部により通信制御信号が受信されると、電話番号と呼接続先とを管理する管理サーバに対して、呼接続先の問合せを行う問合せ部と、
前記管理サーバから送信された問合せ結果に基づいて通信接続を行う通信制御部と、
を備え、
前記通信制御部は、
問合せをした電話番号の体系に従って定められた呼接続先が、前記問合せ結果の呼接続先と一致していない場合には、前記電話番号は他の呼接続先に変更されたと判断し、その旨を、前記アプリケーションサーバに通知し、
前記アプリケーションサーバから前記通知の応答として送信される通信制御信号に前記問合せが解決済みであることを示す情報が付与されている場合には、前記問合せ部による問合せを行うことなく、前記通信制御信号に含まれている呼接続先に対して接続処理を行う、通信制御装置。
【請求項２】
請求項１に記載の通信制御装置と、前記通信制御装置と連携をとって通信接続処理を行うアプリケーションサーバとを含んだ通信システムにおいて、
前記アプリケーションサーバは、
前記通信制御装置から、前記電話番号の呼接続先が変更された旨の制御信号を受信すると、問合せが解決済みである旨の情報を付与した通信制御信号を前記通信制御装置に対して送信する、
通信システム。
【発明の詳細な説明】
【技術分野】
【０００１】
本発明は、ＭＮＰ（MobileNumber Portability）により変更された呼接続先に対する通信制御を行う通信制御装置および通信システムに関する。
【背景技術】
【０００２】
下記非特許文献１には、ＭＮＰにより電話番号の接続先が変更された通信事業者同士が相互接続する際に、リダイレクションを行うことで、当該ＭＮＰにより変更された接続先（移動先）をサーチすることの技術が記載されている（特にＰ４８）。
【先行技術文献】
【非特許文献】
【０００３】
【非特許文献１】“JJ-90.10相互接続共通インタフェース仕様”［online］、２００６年９月５日、情報通信技術委員会 ＴＴＣ標準、平成２９年６月９日検索、インターネット<http://www.ttc.or.jp/jp/document_list/pdf/j/STD/JJ-90.10v7.1.pdf>
【発明の概要】
【発明が解決しようとする課題】
【０００４】
上記リダイレクションは、相互接続間がＩＳＵＰで接続された通信システムに適用可能であるが、近年サービス提供されている音声パケットを用いた通信制御方式を実行するＶｏＬＴＥではＳＩＰを用いるため適用はできない。
【０００５】
そこで、上述の課題を解決するために、本発明は、ＭＮＰなどにより電話番号の呼接続先が変更された場合でも呼接続先を決定することができる通信制御装置および通信システムを提供する。
【課題を解決するための手段】
【０００６】
上述の課題を解決するために、本発明の通信制御装置は、呼接続のための、電話番号を含んだ通信制御信号を、発信端末に対して付加サービスを提供するためのアプリケーションサーバを介して受信する受信部と、前記受信部により通信制御信号が受信されると、電話番号と呼接続先とを管理する管理サーバに対して、呼接続先の問合せを行う問合せ部と、前記管理サーバから送信された問合せ結果に基づいて通信接続を行う通信制御部と、を備え、前記通信制御部は、問合せをした電話番号の体系に従って定められた呼接続先が、前記問合せ結果の呼接続先と一致していない場合には、前記電話番号は他の呼接続先に変更されたと判断し、その旨を、前記アプリケーションサーバに通知し、前記アプリケーションサーバから前記通知の応答として送信される通信制御信号に前記問合せが解決済みであることを示す情報が付与されている場合には、前記問合せ部による問合せを行うことなく、前記通信制御信号に含まれている呼接続先に対して接続処理を行う。
【０００７】
この発明によれば、管理サーバからは、ＭＮＰなどで呼接続先が変更された場合、その呼接続先が通知される。よって、その呼接続先に対して通信接続を可能にする。さらに、本発明の通信制御装置は、通信制御信号が受信されると、管理サーバに対して問合せを行うよう動作するものではあるが、問合せが解決済みであることを示す情報を判断することで、再度の問合せ処理をすることがない。したがって、通信制御信号を受信し、問合せを行うという一連の処理を繰り返すことがない。よって、電話番号の呼接続先が変更された場合でも呼接続先を効率的に決定することができる。
【発明の効果】
【０００８】
本発明によれば、ＭＮＰなどにより電話番号の呼接続先が変更された場合でも呼接続先を効率的に決定することができる。
【図面の簡単な説明】
【０００９】
【図１】本実施形態の通信制御装置であるＳ−ＣＳＣＦ１００を含んだ通信システム１０のシステム構成を示す図である。
【図２】Ｓ−ＣＳＣＦ１００およびＡＳ２００の機能構成を示すブロック図である。
【図３】本実施形態の通信システム１０の処理シーケンスを示す図である。
【図４】Ｓ−ＣＳＣＦ１００の処理を示すフローチャートである。
【図５】ＡＳ２００の処理を示すフローチャートである。
【図６】Ｓ−ＣＳＣＦ１００のハードウェア構成を示す図である。
【発明を実施するための形態】
【００１０】
添付図面を参照しながら本発明の実施形態を説明する。可能な場合には、同一の部分には同一の符号を付して、重複する説明を省略する。
【００１１】
図１は、本実施形態の通信制御装置であるＳ−ＣＳＣＦ（Serving-Call Session Control Function）１００を含んだ通信システム１０のシステム構成を示す図である。図１に示されるとおり、通信システム１０は、Ｓ−ＣＳＣＦ１００、ＡＳ（Application Server）２００，端末３００，Ｐ−ＣＳＣＦ（Proxy-CallSession Control Function）４００，ＩＢＣＦ（Interconnection Border Control Function）５００，ＥＮＵＭサーバ（E.164 NUmber Mapping ）６００を含んでいる。この通信システム１０は、他事業者のネットワークに配置されているＥＮＵＭサーバ８００と通信可能に構成されている。
【００１２】
Ｓ−ＣＳＣＦ１００、およびＰ−ＣＳＣＦ４００は、呼処理サーバであり、端末３００との間の通信制御を行う部分である。ＡＳ２００は、アプリケーションサーバであり、Ｓ−ＣＳＣＦ１００と連携をとって通信接続処理を行い、付加的なサービスを端末３００に提供するためのサーバである。
【００１３】
ＩＢＣＦ５００は、ＩＭＳと他の事業者のＮＷとの間での網間接続処理を行うゲートウェイ装置である。
【００１４】
ＥＮＵＭサーバ６００は、Ｅ．１６４で規定される電話番号から、ＳＩＰＵＲＩ（Uniform Resource Identifier）またはＩＰアドレス等のＩＰ網のアドレス体系へのマッピング方式を提供するためのサーバであり、国内標準技術であるＴＴＣ ＪＪ ９０．３１に準拠したものである。本実施形態においては、ＶｏＬＴＥ相互接続において、電話番号に基づいて、ＭＮＰによりポートアウトしたＳＩＰ ＵＲＩを解決する。なお、他事業者ネットワークに配置されているＥＮＵＭサーバ８００も同じ機能を有している。
【００１５】
ＧＷ−ＲＴ７００は、ＩＭＳ間をＩＰ接続するためのゲートウェイルータである。
【００１６】
このような通信システム１０におけるＳ−ＣＳＣＦ１００の構成について説明する。図２は、Ｓ−ＣＳＣＦ１００およびＡＳ２００の機能構成を示すブロック図である。
【００１７】
Ｓ−ＣＳＣＦ１００は、ＳＩＰ信号通信部１０１（受信部、通信制御部）、ＭＮＰ判断部１０２（通信制御部）、ＥＮＵＭ要否判断部１０３（通信制御部）、ＥＮＵＭ問合せ部１０４（問合せ部）を含んで構成されている。
【００１８】
ＳＩＰ信号通信部１０１は、端末３００またはＡＳ２００とＳＩＰ通信を行うための通信処理を行う部分である。ＳＩＰ信号通信部１０１は、Ｐ−ＣＳＣＦ４００を介して端末３００と、その発信先端末との間の通信接続処理を行う。
【００１９】
ＭＮＰ判断部１０２は、電話番号の体系に従って定められた呼接続先のアドレス（ＳＩＰＵＲＩ）が、問合せの結果で示された呼接続先のアドレス（ＳＩＰ ＵＲＩ）と一致しているか否かを判断し、当該電話番号がＭＮＰにより通信事業者（呼接続先）が変更されたか否かを判断する部分である。
【００２０】
ＥＮＵＭ要否判断部１０３は、ＥＮＵＭ解決済みであるか否かを判断する部分である。ＥＮＵＭ要否判断部１０３は、ＡＳ２００から送信されたＳＩＰＩＮＶＩＴＥ信号が、ＥＮＵＭ解決済みであることを示すフラグを含んでいる場合には、ＥＮＵＭサーバ６００または８００に対する問合せ済みであると判断する。
【００２１】
ＥＮＵＭ問合せ部１０４は、ＥＮＵＭ要否判断部１０３がＥＮＵＭ要否判断部１０３の判断に従って、問合せが必要であると判断すると、ＥＮＵＭサーバ６００または８００に対して、ＳＩＰＩＮＶＩＴＥ信号に含まれている電話番号に対応する呼接続先の問合せ処理を行う部分である。
【００２２】
つぎに、ＡＳ２００について説明する。ＡＳ２００は、ＳＩＰ信号通信部２０１およびＥＮＵＭ要否判断部２０２を含んで構成されている。
【００２３】
ＳＩＰ信号通信部２０１は、ＳＩＰ通信を行うための通信処理を行う部分である。ＳＩＰ信号通信部１０１は、Ｓ−ＣＳＣＦ１００と通信を行う。
【００２４】
ＥＮＵＭ要否判断部２０２は、Ｓ−ＣＳＣＦ１００から転送されたＳＩＰ４１０ＧＯＮＥ信号に基づいてＥＮＵＭサーバ６００または８００に対して問合せの要否を判断する部分である。本実施形態においては、このＳＩＰ４１０  ＧＯＮＥ信号は、ＥＮＵＭサーバ８００に対して呼接続先の問い合わせをした結果、当該電話番号が他の事業者に移動したことを示す。
【００２５】
本実施形態においては、ＥＮＵＭ要否判断部２０２は、ＳＩＰ４１０ＧＯＮＥ信号を受信すると、ＥＮＵＭサーバ８００に対する問合せは不要と判断し、Ｓ−ＣＳＣＦ１００に対して、ＥＮＵＭ解決済みフラグを含んだＳＩＰ ＩＮＶＩＴＥ信号を送信する。
【００２６】
発側の端末３００はＳＩＰ信号通信部３０１を有している。このＳＩＰ信号通信部３０１は、発信信号として、宛先となる電話番号を含んだＳＩＰＩＮＶＩＴＥ信号をネットワークに向けて送信する。
【００２７】
図３は、本実施形態の通信システム１０の処理シーケンスを示す図である。図に示されるとおり、端末３００において、通信接続要求を示すＳＩＰＩＮＶＩＴＥ信号が送信される（Ｓ１０１）。
【００２８】
ＳＩＰ ＩＮＶＩＴＥ信号は、Ｓ−ＣＳＣＦ１００を介して、ＡＳ２００に送信され、ＡＳ２００から再度Ｓ−ＣＳＣＦ１００に対して送信される（Ｓ１０２）。このＡＳ２００に対してＳＩＰＩＮＶＩＴＥ信号を送信する処理は、端末３００に対して付加サービスを提供するための処理であり、一般的な通信処理である。
【００２９】
Ｓ−ＣＳＣＦ１００において、ＳＩＰ ＩＮＶＩＴＥ信号が受信されると、ＥＮＵＭ要否判断部１０３により、ＥＮＵＭサーバ８００に対する呼接続先の問合せが必要か否かを示すフラグの有無が判断される。そして、フラグが付与されていない場合には、ＥＮＵＭ問合せ部１０４によりＥＮＵＭサーバ８００に対して、電話番号の問合せが行われる（Ｓ１０３）。ここでは、ＥＮＵＭ問合せ部１０４は、ＳＩＰＩＮＶＩＴＥ信号に含まれている宛先となる電話番号の体系に基づいて、どの事業者のＥＮＵＭサーバに問い合わせるかを判断し、その体系にしたがったＥＮＵＭサーバに問合せを行う。ここでは、ＥＮＵＭサーバ８００に対して問合せを行う。
【００３０】
そして、Ｓ−ＣＳＣＦ１００において、電話番号に対する呼接続先の問合せが行われ、その問合せ結果が受信されると、ＭＮＰ判断部１０２により、ＭＮＰにより電話番号が他事業者へ移動されたか否かが判断される（Ｓ１０４）。そして、ＭＮＰが行われたと判断されると、ＳＩＰ信号通信部１０１により、ＭＮＰされたことを示すＳＩＰ４１０ ＧＯＮＥ信号がＡＳ２００に対して送信される（Ｓ１０５）。
【００３１】
ＡＳ２００において、ＳＩＰ ４１０ ＧＯＮＥ信号が受信されると、ＥＮＵＭ要否判断部２０２により、当該ＳＩＰ４１０ ＧＯＮＥ信号に含まれているＥＮＵＭの解決結果を示すパラメータに基づいてＥＮＵＭ解決済みであることが判断される。そして、その旨を示すフラグがＳＩＰ ＩＮＶＩＴＥ信号に付与され、上記ＳＩＰ４１０ ＧＯＮＥ信号の応答として送信される（Ｓ１０６）。
【００３２】
Ｓ−ＣＳＣＦ１００において、ＥＮＵＭ要否判断部１０３により、ＥＮＵＭ解決済みであることが、上記フラグに基づいて認識される（Ｓ１０7）。そして、ＳＩＰ信号通信部１０１により、ＳＩＰ ＩＮＶＩＴＥ信号が宛先に対して送信される。ＥＮＵＭ問合せの結果、同じ事業者内であれば、着信用の他のＳ−ＣＳＣＦに対してＳＩＰＩＮＶＩＴＥ信号が送信される（Ｓ１０８）。
【００３３】
ＥＮＵＭ問合せの結果、他の事業者にポートアウトしていれば、ＩＢＣＦ５００を介して、他の通信事業者に対して、ＳＩＰＩＮＶＩＴＥ信号が送信される（Ｓ１０９）。
【００３４】
つぎに、上記シーケンスにおけるＳ−ＣＳＣＦ１００の詳細処理について説明する。図４は、Ｓ−ＣＳＣＦ１００の処理を示すフローチャートである。
【００３５】
Ｓ−ＣＳＣＦ１００において、ＳＩＰ信号通信部１０１により、ＡＳ２００からＳＩＰ  ＩＮＶＩＴＥ信号が送信される（Ｓ２０１）。ＥＮＵＭ要否判断部１０３により、受信したＳＩＰＩＮＶＩＴＥ信号にＥＮＵＭ解決済みであることを示すフラグが付与されているか否かが判断される（Ｓ２０２）。
【００３６】
ここで、フラグがないと判断されると、未解決であると判断され（Ｓ２０２：未解決）、ＥＮＵＭ問合せ部１０４によりＥＮＵＭサーバ８００に対する問合せが行われる（Ｓ２０３）。
【００３７】
そして、問合せの結果を取得すると、ＭＮＰ判断部１０２により、ＭＮＰが行われたか否かが判断される（Ｓ２０４）。ＭＮＰが行われたか否かは、電話番号の体系とＥＮＵＭサーバ８００からの問合せ結果（呼接続先のアドレス）との不整合に基づいて判断される。
【００３８】
そして、ＭＮＰが行われたと判断されると、ＳＩＰ信号通信部１０１により、ＳＩＰ４１０ＧＯＮＥ信号がＡＳ２００に対して送信される（Ｓ２０５）。
【００３９】
一方、Ｓ２０２において、ＥＮＵＭ要否判断部１０３により、ＥＮＵＭ解決済みであると判断され、またはＳ２０４において、ＭＮＰ判断部１０２によりＭＮＰが行われていない、と判断されると、ＥＮＵＭサーバから得られた呼接続先に対してルーチング処理が行われる（Ｓ２０６）。
【００４０】
図５は、ＡＳ２００の処理を示すフローチャートである。ＡＳ２００において、ＳＩＰ信号通信部２０１により、ＳＩＰ４１０ ＧＯＮＥ信号が受信されると（Ｓ３０１）、ＥＮＵＭ要否判断部２０２により、ＥＮＵＭ解決後の４１０ ＧＯＮＥ信号であるか否かが判断される（Ｓ３０２）。このＥＮＵＭ解決後の４１０  ＧＯＮＥ信号には、ＥＮＵＭ解決結果がパラメータとして付与されており、そのパラメータに基づいて判断される。
【００４１】
そして、ＥＮＵＭ解決後の４１０ＧＯＮＥ信号であると判断されると（Ｓ３０２：ＹＥＳ）、ＳＩＰ信号通信部２０１により、ＥＮＵＭ解決済みフラグがＳＩＰＩＮＶＩＴＥ信号に付与され（Ｓ３０３）、Ｓ−ＣＳＣＦ１００に対して送信される（Ｓ３０４）。
【００４２】
一方、Ｓ３０２において、ＥＮＵＭ解決後の４１０ＧＯＮＥ信号ではない、すなわち単なる４１０ＧＯＮＥ信号が受信されたと判断されると（Ｓ３０２：ＮＯ）、既存処理として、例えばリダイレクションをした旨のＳＩＰＩＮＶＩＴＥ信号が送信される（Ｓ３０５）。
【００４３】
つぎに、本実施形態のＳ−ＣＳＣＦ１００の作用効果について説明する。本実施形態のＳ−ＣＳＣＦ１００において、ＳＩＰ信号通信部１０１は、電話番号を含んだ呼接続のための通信制御信号であるＳＩＰＩＮＶＩＴＥ信号を、付加サービスを提供するためのＡＳ２００（アプリケーションサーバ）を介して受信する。
【００４４】
ＥＮＵＭ問合せ部１０４は、ＡＳ２００からＳＩＰ ＩＮＶＩＴＥ信号が受信されると、電話番号と呼接続先とを管理する管理サーバであるＥＮＵＭサーバ８００に対して、呼接続先であるＳＩＰＵＲＩの問合せを行う。
【００４５】
ＳＩＰ信号通信部１０１は、ＥＮＵＭサーバ８００から送信された問合せ結果に基づいて通信接続を行う。
【００４６】
ＥＮＵＭ要否判断部１０３は、ＡＳ２００から送信されるＳＩＰＩＮＶＩＴＥ信号に問合せが解決済みであることを示すフラグが付与されていることを判断する。
【００４７】
ＳＩＰ信号通信部１０１は、ＥＮＵＭサーバ８００に対する問合せ結果に基づいた処理を行う際に、問合せが解決済みであることを示すフラグが付与されている場合には、ＥＮＵＭ問合せ部１０４は問合せを行うことなく、ＳＩＰ信号通信部１０１は、ＳＩＰＩＮＶＩＴＥ信号に含まれている呼接続先に対して接続処理を行う。
【００４８】
これにより、ＥＮＵＭサーバ８００からは、ＭＮＰなどで呼接続先が変更された場合でも、その呼接続先（ＳＩＰＵＲＩ）が通知される。よって、その呼接続先（ＳＩＰ ＵＲＩ）に対して通信接続を可能にする。
【００４９】
さらに、Ｓ−ＣＳＣＦ１００は、ＳＩＰ ＩＮＶＩＴＥ信号が受信されると、ＥＮＵＭサーバ８００に対して問合せを行うよう動作するものではあるが、問合せが解決済みであることを示すフラグがついていることで、再度の問合せ処理をすることがない。したがって、ＳＩＰＩＮＶＩＴＥ信号を受信し、これに応じてＥＮＵＭサーバ８００に対して問合せを行うという一連の処理を繰り返すことがない。
【００５０】
またＡＳ２００は、Ｓ−ＣＳＣＦ１００から、電話番号が他の事業者に変更された旨の制御信号であるＳＩＰ４１０ ＧＯＮＥ信号を受信すると、問合せが解決済みである旨のフラグを付与したＳＩＰ ＩＮＶＩＴＥ信号をＳ−ＣＳＣＦ１００に対して送信する。
【００５１】
よって、Ｓ−ＣＳＣＦ１００は、ＥＮＵＭサーバ８００に対して問合せを行うという一連の処理を繰り返すことを防止することができる。
【００５２】
上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００５３】
例えば、本発明の一実施の形態におけるＳ−ＣＳＣＦ１００、ＡＳ２００などは、本実施形態のＳ−ＣＳＣＦ１００、ＡＳ２００の処理を行うコンピュータとして機能してもよい。図６は、本実施形態に係るＳ−ＣＳＣＦ１００、ＡＳ２００のハードウェア構成の一例を示す図である。上述のＳ−ＣＳＣＦ１００、ＡＳ２００は、物理的には、プロセッサ１００１、メモリ１００２、ストレージ１００３、通信装置１００４、入力装置１００５、出力装置１００６、バス１００７などを含むコンピュータ装置として構成されてもよい。
【００５４】
なお、以下の説明では、「装置」という文言は、回路、デバイス、ユニットなどに読み替えることができる。Ｓ−ＣＳＣＦ１００、ＡＳ２００のハードウェア構成は、図に示した各装置を１つ又は複数含むように構成されてもよいし、一部の装置を含まずに構成されてもよい。
【００５５】
Ｓ−ＣＳＣＦ１００、ＡＳ２００における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００５６】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、ＭＮＰ判断部１０２、ＥＮＵＭ要否判断部１０３、ＥＮＵＭ問合せ部１０４などは、プロセッサ１００１で実現されてもよい。
【００５７】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、Ｓ−ＣＳＣＦ１００、ＡＳ２００のＭＮＰ判断部１０２、ＥＮＵＭ要否判断部１０３、ＥＮＵＭ問合せ部１０４は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００５８】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【００５９】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００６０】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述のＳＩＰ信号通信部１０１、２０１などは、通信装置１００４で実現されてもよい。
【００６１】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００６２】
また、プロセッサ１００１やメモリ１００２などの各装置は、情報を通信するためのバス１００７で接続される。バス１００７は、単一のバスで構成されてもよいし、装置間で異なるバスで構成されてもよい。
【００６３】
また、Ｓ−ＣＳＣＦ１００、ＡＳ２００は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００６４】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【００６５】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC ConnectionReconfiguration）メッセージなどであってもよい。
【００６６】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００６７】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００６８】
情報等は、上位レイヤ(または下位レイヤ)から下位レイヤ(または上位レイヤ)へ出力され得る。複数のネットワークノードを介して入出力されてもよい。
【００６９】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００７０】
判断は、１ビットで表される値（０か１か）によって行われてもよいし、真偽値（Boolean：trueまたはfalse）によって行われてもよいし、数値の比較（例えば、所定の値との比較）によって行われてもよい。
【００７１】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００７２】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００７３】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００７４】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００７５】
なお、本明細書で説明した用語及び／又は本明細書の理解に必要な用語については、同一の又は類似する意味を有する用語と置き換えてもよい。
【００７６】
本明細書で使用する「システム」および「ネットワーク」という用語は、互換的に使用される。
【００７７】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【００７８】
本明細書で使用する「判断(determining)」、「決定(determining)」という用語は、多種多様な動作を包含する場合がある。「判断」、「決定」は、例えば、判断(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００７９】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【００８０】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８１】
本明細書で「第１の」、「第２の」などの呼称を使用した場合においては、その要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【００８２】
「含む（include）」、「含んでいる（including）」、およびそれらの変形が、本明細書あるいは特許請求の範囲で使用されている限り、これら用語は、用語「備える(comprising)」と同様に、包括的であることが意図される。さらに、本明細書あるいは特許請求の範囲において使用されている用語「または（or）」は、排他的論理和ではないことが意図される。
【００８３】
本明細書において、文脈または技術的に明らかに1つのみしか存在しない装置である場合以外は、複数の装置をも含むものとする。
【符号の説明】
【００８４】
１０…通信システム、１０１…ＳＩＰ信号通信部、１０２…ＭＮＰ判断部、１０３…ＥＮＵＭ要否判断部、１０４…ＥＮＵＭ問合せ部、２０１…ＳＩＰ信号通信部、２０２…ＥＮＵＭ要否判断部。
【図１】
2019012885.tif 000003
【図２】
2019012885.tif 000004
【図３】
2019012885.tif 000005
【図４】
2019012885.tif 000006
【図５】
2019012885.tif 000007
【図６】
2019012885.tif 000008